(57)【要約】【課題】コンテンツの表示領域を阻害せず、当該コンテンツに関連するコンテンツを端末装置で表示できるようにする。【解決手段】プロジェクター１は、投写するコンテンツの映像信号と、当該コンテンツに関連するコンテンツのＵＲＬを示す付加情報を取得する。プロジェクター１は、投写するコンテンツの画像に付加情報を不可視情報として埋め込み、付加情報が埋め込まれた画像を投写する。端末装置２は、投写された画像を撮像し、撮像した画像から付加情報を取得する。端末装置２は、付加情報が示すＵＲＬで特定されるコンテンツを取得し、撮像した画像と、取得したコンテンツを表示する。【選択図】図１
2016071035.tif 000002
【特許請求の範囲】
【請求項１】
第１コンテンツを取得する第１取得部と、
付加情報を取得する第２取得部と、
前記第１コンテンツに前記付加情報が不可視情報として埋め込まれた映像を生成する映像処理部と、
前記映像処理部が生成した映像を表示する表示部と
を有する表示装置。
【請求項２】
前記第１取得部は、前記第１コンテンツを第１外部装置から取得し、
前記第２取得部は、前記付加情報を第１外部装置とは異なる第２外部装置から取得する
請求項１に記載の表示装置。
【請求項３】
前記付加情報は、画像であり、前記映像処理部は、当該画像を示す情報を前記不可視情報として前記映像に埋め込む、
請求項２に記載の表示装置。
【請求項４】
前記第１コンテンツは、前記第１コンテンツ及び前記付加情報で構成されるコンテンツの一部であり、
前記付加情報は、前記第１コンテンツ及び前記付加情報で構成されるコンテンツから前記一部を除いた部分である
請求項１に記載の表示装置。
【請求項５】
前記映像処理部は、前記第１コンテンツを拡大した映像に前記付加情報が不可視情報として埋め込まれた映像を生成する
請求項４に記載の表示装置。
【請求項６】
第１コンテンツに付加情報が不可視情報として埋め込まれた映像を撮像する撮像部と、
前記撮像部が撮像した映像から前記不可視情報を取得する情報取得部と、
前記情報取得部が取得した前記不可視情報から前記付加情報を取得する付加情報取得部と、
前記撮像部が撮像した映像と、前記付加情報取得部が取得した前記付加情報で特定されるコンテンツを表示する表示部と
を有する端末装置。
【請求項７】
第１コンテンツを取得する第１取得部と、
付加情報を取得する第２取得部と、
前記第１コンテンツに前記付加情報が不可視情報として埋め込まれた映像を生成する映像処理部と、
前記映像処理部が生成した映像を示す映像信号を出力する出力部と
を有する情報処理装置。
【請求項８】
第１コンテンツを取得する第１取得ステップと、
付加情報を取得する第２取得ステップと、
前記第１コンテンツに前記付加情報が不可視情報として埋め込まれた映像を生成する生成ステップと、
前記生成ステップが生成した映像を表示する表示ステップと
を有する表示方法。
【請求項９】
第１コンテンツに付加情報が不可視情報として埋め込まれた映像を撮像する撮像ステップと、
前記撮像ステップで撮像した映像から前記不可視情報を取得する情報取得ステップと、
前記情報取得ステップで取得した前記不可視情報から前記付加情報を取得する付加情報取得ステップと、
前記撮像ステップで撮像した映像と、前記付加情報取得ステップで取得した前記付加情報で特定されるコンテンツを表示する表示ステップと
を有する表示方法。
【請求項１０】
第１コンテンツに付加情報が不可視情報として埋め込まれた映像を表示する第１表示部
を有する表示装置と、
前記第１表示部で表示された映像を撮像する撮像部と、
前記撮像部が撮像した映像から前記不可視情報を取得する情報取得部と、
前記情報取得部が取得した前記不可視情報から前記付加情報を取得する付加情報取得部と、
前記撮像部が撮像した映像と、前記付加情報取得部が取得した前記付加情報で特定されるコンテンツを表示する第２表示部と
を有する表示システム。
【請求項１１】
コンピューターを、
第１コンテンツを取得する第１取得部と、
付加情報を取得する第２取得部と、
前記第１コンテンツに前記付加情報が不可視情報として埋め込まれた映像を生成する映像処理部と、
前記映像処理部が生成した映像を示す映像信号を出力する出力部
として機能させるためのプログラム。
【請求項１２】
コンピューターを、
第１コンテンツに付加情報が不可視情報として埋め込まれた映像を撮像する撮像部と、
前記撮像部が撮像した映像から前記不可視情報を取得する情報取得部と、
前記情報取得部が取得した前記不可視情報から前記付加情報を取得する付加情報取得部と、
前記撮像部が撮像した映像と、前記付加情報取得部が取得した前記付加情報で特定されるコンテンツを表示する表示部
として機能させるためのプログラム。
【発明の詳細な説明】
【技術分野】
【０００１】
本発明は、表示装置、端末装置、情報処理装置、表示方法、表示システム及びプログラムに関する。
【背景技術】
【０００２】
プロジェクターに対してコンピューター装置を無線ＬＡＮ（Local Area Network）で容易に接続する発明として、例えば特許文献１に開示されたシステムがある。このシステムにおいては、プロジェクターは、無線ＬＡＮでプロジェクターに接続するための接続情報を表す二次元バーコードを投写する。ユーザーは、投写された二次元バーコードを携帯電話で撮像する。携帯電話が撮像した二次元バーコードの画像は、携帯電話に接続されたノートＰＣへ送られる。ノートＰＣは、携帯電話から送られた二次元バーコードの画像を解析して接続情報を認識し、認識した接続情報に基づいてプロジェクターに接続を要求する。特許文献１の発明によれば、プロジェクターによって投写された画像を撮像することにより、プロジェクターへ容易に接続することができる。
【先行技術文献】
【特許文献】
【０００３】
【特許文献１】特開２００８−１５４０２号公報
【発明の概要】
【発明が解決しようとする課題】
【０００４】
ところで、二次元バーコードには、各種情報を含めることが可能である。このため、例えば、コンテンツを投写する際に、投写するコンテンツに関連する情報のＵＲＬ（Uniform Resource Locator）を含む二次元バーコードをコンテンツと共に投写し、投写されたコンテンツの画像を携帯端末で撮像すれば、二次元バーコードからＵＲＬを取得し、投写されたコンテンツに関連する別のコンテンツを、取得したＵＲＬに基づいて取得して表示することができる。しかしながら、二次元バーコードをコンテンツと共に投写する場合、投写する領域の一部が二次元バーコードに使用されることとなり、コンテンツを投写する領域が少なくなるという問題が生じてしまう。
【０００５】
本発明は、コンテンツの表示領域を阻害せず、当該コンテンツに関連するコンテンツを端末装置で表示できるようにする技術を提供する。
【課題を解決するための手段】
【０００６】
本発明は、第１コンテンツを取得する第１取得部と、付加情報を取得する第２取得部と、前記第１コンテンツに前記付加情報が不可視情報として埋め込まれた映像を生成する映像処理部と、前記映像処理部が生成した映像を表示する表示部とを有する表示装置を提供する。
本発明によれば、第１コンテンツの表示領域を阻害せず、第１コンテンツに関連する付加情報の情報が第１コンテンツに不可視状態で埋め込まれて表示される。端末装置は、表示される映像を撮像することにより、第１コンテンツから不可視情報を取得し、取得した不可視情報から付加情報を取得し、付加情報で特定されるコンテンツを表示することができる。
【０００７】
本発明においては、前記第１取得部は、前記第１コンテンツを第１外部装置から取得し、前記第２取得部は、前記付加情報を第１外部装置とは異なる第２外部装置から取得する構成としてもよい。
この構成によれば、第２外部装置から様々な付加情報を供給し、端末装置で第１コンテンツに関連する様々なコンテンツを付加情報に基づいて表示させることができる。
【０００８】
また、本発明においては、前記付加情報は、画像であり、前記映像処理部は、当該画像を示す情報を前記不可視情報として前記映像に埋め込む構成としてもよい。
この構成によれば、不可視情報から画像が得られ、得られた画像を表示することができる。
【０００９】
また、本発明においては、前記第１コンテンツは、前記第１コンテンツ及び前記付加情報で構成されるコンテンツの一部であり、前記付加情報は、前記第１コンテンツ及び前記付加情報で構成されるコンテンツから前記一部を除いた部分である構成としてもよい。
この構成によれば、端末装置は、表示される映像を撮像することにより、コンテンツの一部と共に、表示された部分以外も表示し、コンテンツの全体を表示することができる。
【００１０】
また、本発明においては、前記映像処理部は、前記第１コンテンツを拡大した映像に前記付加情報が不可視情報として埋め込まれた映像を生成する構成としてもよい。
この構成によれば、端末装置は、表示される映像を撮像することにより、拡大されたコンテンツの一部と共に、表示された部分以外も表示し、コンテンツの全体を表示することができる。
【００１１】
また、本発明は、第１コンテンツに付加情報が不可視情報として埋め込まれた映像を撮像する撮像部と、前記撮像部が撮像した映像から前記不可視情報を取得する情報取得部と、前記情報取得部が取得した前記不可視情報から前記付加情報を取得する付加情報取得部と、前記撮像部が撮像した映像と、前記付加情報取得部が取得した前記付加情報で特定されるコンテンツを表示する表示部とを有する端末装置を提供する。
この構成によれば、端末装置は、表示される映像を撮像することにより、第１コンテンツから不可視情報を取得し、取得した不可視情報から付加情報を取得し、付加情報で特定されるコンテンツを表示することができる。
【００１２】
また、本発明は、第１コンテンツを取得する第１取得部と、付加情報を取得する第２取得部と、前記第１コンテンツに前記付加情報が不可視情報として埋め込まれた映像を生成する映像処理部と、前記映像処理部が生成した映像を示す映像信号を出力する出力部とを有する情報処理装置を提供する。
この構成によれば、第１コンテンツの表示領域を阻害せず、第１コンテンツに関連する付加情報の情報が付加情報に不可視状態で埋め込まれて表示される。端末装置は、表示される映像を撮像することにより、第１コンテンツから不可視情報を取得し、取得した不可視情報から付加情報を取得し、取得した付加情報で特定されるコンテンツを表示することができる。
【００１３】
また、本発明は、第１コンテンツを取得する第１取得ステップと、付加情報を取得する第２取得ステップと、前記第１コンテンツに前記付加情報が不可視情報として埋め込まれた映像を生成する生成ステップと、前記生成ステップが生成した映像を表示する表示ステップとを有する表示方法を提供する。
この構成によれば、第１コンテンツの表示領域を阻害せず、第１コンテンツに関連する付加情報の情報が付加情報に不可視状態で埋め込まれて表示される。端末装置は、表示される映像を撮像することにより、第１コンテンツから不可視情報を取得し、取得した不可視情報から付加情報を取得し、付加情報で特定されるコンテンツを表示することができる。
【００１４】
また、本発明は、第１コンテンツに付加情報が不可視情報として埋め込まれた映像を撮像する撮像ステップと、前記撮像ステップで撮像した映像から前記不可視情報を取得する情報取得ステップと、前記情報取得ステップで取得した前記不可視情報から前記付加情報を取得するコンテンツ取得ステップと、前記撮像ステップで撮像した映像と、前記コンテンツ取得ステップで取得した前記付加情報で特定されるコンテンツを表示する表示ステップとを有する表示方法を提供する。
この構成によれば、表示される映像を撮像することにより、第１コンテンツから不可視情報を取得し、取得した不可視情報から付加情報を取得し、付加情報で特定されるコンテンツを表示することができる。
【００１５】
また、本発明は、第１コンテンツに付加情報が不可視情報として埋め込まれた映像を表示する第１表示部を有する表示装置と、前記第１表示部で表示された映像を撮像する撮像部と、前記撮像部が撮像した映像から前記不可視情報を取得する情報取得部と、前記情報取得部が取得した前記不可視情報から前記付加情報を取得する付加情報取得部と、前記撮像部が撮像した映像と、前記付加情報取得部が取得した前記付加情報で特定されるコンテンツを表示する第２表示部とを有する表示システムを提供する。
この構成によれば、第１コンテンツの表示領域を阻害せず、第１コンテンツに関連する付加情報の情報が付加情報に不可視状態で埋め込まれて表示される。端末装置は、表示される映像を撮像することにより、第１コンテンツから不可視情報を取得し、取得した不可視情報から付加情報を取得し、取得した付加情報で特定されるコンテンツを表示することができる。
【００１６】
また、本発明は、コンピューターを、第１コンテンツを取得する第１取得部と、付加情報を取得する第２取得部と、前記第１コンテンツに前記付加情報が不可視情報として埋め込まれた映像を生成する映像処理部と、前記映像処理部が生成した映像を示す映像信号を出力する出力部として機能させるためのプログラムを提供する。
この構成によれば、第１コンテンツの表示領域を阻害せず、第１コンテンツに関連する付加情報の情報が付加情報に不可視状態で埋め込まれて表示される。端末装置は、表示される映像を撮像することにより、第１コンテンツから不可視情報を取得し、取得した不可視情報から付加情報を取得し、取得した付加情報で特定されるコンテンツを表示することができる。
【００１７】
また、本発明は、コンピューターを、第１コンテンツに付加情報が不可視情報として埋め込まれた映像を撮像する撮像部と、前記撮像部が撮像した映像から前記不可視情報を取得する情報取得部と、前記情報取得部が取得した前記不可視情報から前記付加情報を取得する付加情報取得部と、前記撮像部が撮像した映像と、前記付加情報取得部が取得した前記付加情報で特定されるコンテンツを表示する表示部として機能させるためのプログラムを提供する。
この構成によれば、表示される映像を撮像することにより、第１コンテンツから不可視情報を取得し、取得した不可視情報から付加情報を取得し、取得した付加情報で特定されるコンテンツを表示することができる。
【図面の簡単な説明】
【００１８】
【図１】本発明の一実施形態に係る映像表示システムを構成する装置を示した図。
【図２】プロジェクター１のハードウェア構成を示した図。
【図３】端末装置２のハードウェア構成を示したブロック図。
【図４】端末装置２の機能構成を示したブロック図。
【図５】制御部２１が行う処理の流れを示したフローチャート。
【図６】実施形態の動作例を説明するための図。
【図７】端末装置２に表示される画面の一例を示した図。
【図８】端末装置２に表示される画面の一例を示した図。
【図９】端末装置２に表示される画面の一例を示した図。
【図１０】端末装置２に表示される画面の一例を示した図。
【発明を実施するための形態】
【００１９】
［実施形態］
（実施形態の構成）
図１は、本発明の一実施形態に係る映像表示システムを構成する装置を示した図である。プロジェクター１は、外部装置から供給される映像信号を取得し、取得した映像信号が表す映像を平面のスクリーンＳＣに投写する装置である。本実施形態のプロジェクター１は、短焦点のフロントプロジェクション型の液晶プロジェクターであり、本発明に係る表示装置の一例である。プロジェクター１は、投写する映像に情報を埋め込む機能を備えており、情報が埋め込まれた映像をスクリーンＳＣに投写する。端末装置２は、所謂スマートフォンであり、撮像素子を備えている。端末装置２は、スクリーンＳＣに投写された映像を撮像素子で撮像し、撮像した映像から埋め込まれている情報を取得する機能を有する。なお、端末装置２は、スマートフォンに限定されるものではなく、タブレット端末やデータ通信に特化したコンピューター装置などであってもよい。
【００２０】
（プロジェクター１の構成）
図２は、プロジェクター１のハードウェア構成を示した図である。操作部１１は、プロジェクター１を操作するための複数のボタンを備えている。操作されたボタンに応じて制御部１０が各部を制御することにより、スクリーンＳＣに投写される映像の調整や、プロジェクター１が有する各種機能の設定などが行われる。ＯＳＤ（On Screen Display）部１５は、制御部１０により制御され、プロジェクター１の各種機能の設定を行うためのメニュー画像や、プロジェクター１が表示する映像の画質を調整するためのメニュー画像、プロジェクター１の状態を示す文字列の画像などを生成し、生成した画像を表すＯＳＤ信号を映像処理部１３へ供給する。
【００２１】
表示部１４は、光源１４１、ライトバルブ１４２、駆動回路１４４及び投写レンズ１４３を有している。光源１４１は、光を発するランプであり、光源１４１が発した光は、図示省略した複数のダイクロイックミラーやミラーによって赤、緑、青の光に分光され、分光された赤、緑、青のそれぞれの光はライトバルブ１４２に導かれる。
【００２２】
駆動回路１４４は、映像処理部１３から供給される映像信号を取得する。駆動回路１４４に供給される映像信号は、投写する映像における赤の成分の階調を表す階調データ、投写する映像における緑の成分の階調を表す階調データ及び投写する映像における青の成分の階調を表す階調データを有する。駆動回路１４４は、赤、緑、青の各色の階調データを抽出し、抽出した各色の階調データに基づいてライトバルブ１４２を駆動する。
【００２３】
ライトバルブ１４２は、前述の赤の光が入射する液晶ライトバルブ、前述の緑の光が入射する液晶ライトバルブ、及び前述の青の光が入射する液晶ライトバルブを有している。液晶ライトバルブは、透過型の液晶パネルであり、複数行複数列でマトリクス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動回路１４４によって各画素が制御されて画素の透過率が変化する。画素の透過率が制御されることにより、液晶ライトバルブを透過した各色の光は、各階調データに対応した映像となる。液晶ライトバルブを透過した赤、緑、青の光の映像は、図示省略したダイクロイックプリズムにより合成されて投写レンズ１４３に入射する。投写レンズ１４３は、入射した映像を拡大するレンズであり、入射した映像を拡大してスクリーンＳＣに投写する。
【００２４】
通信部１８は、ＩＥＥＥ８０２．１１の通信規格に従った通信を行う機能を有しており、同じ通信規格に従った通信を行う他の装置と通信を行う。なお、通信部１８が行う通信は、ＩＥＥＥ８０２．１１の通信規格に限定されるものではなく、Bluetooth（登録商標）の通信規格に従った無線通信など、他の通信規格に従った通信であってもよい。また、通信部１８が行う通信は、無線通信に限定されるものではなく、有線の通信であってもよい。
【００２５】
映像処理部１３は、外部装置から供給される映像信号やＯＳＤ部１５から供給されるＯＳＤ信号、投写する映像に埋め込む付加情報などを取得する。映像処理部１３は、複数の映像処理機能を備えており、供給された映像信号に画像処理を施し、投写する映像の画質を調整する。また、映像処理部１３は、供給された映像信号が示す映像（第１コンテンツ）に対し、供給された付加情報を例えば電子透かしの技術の一例であるステガノグラフィーの技術を用いて不可視にして埋め込む。なお、付加情報を埋め込む技術は、ステガノグラフィーに限定されるものではなく、不可視にして付加情報を埋め込むことができれば、他の技術であってもよい。また、映像処理部１３は、ＯＳＤ部１５からＯＳＤ信号が供給された場合には、ＯＳＤ信号を重畳した映像信号を表示部１４へ供給する。
【００２６】
制御部１０は、ＣＰＵ（Central Processing Unit）、ＲＯＭ（Read Only Memory）及びＲＡＭ（Random Access Memory）を備えたマイクロコンピューターであり、本発明に係る制御装置の一例である。ＲＯＭに記憶されているプログラムをＣＰＵが実行すると、プロジェクター１においては、制御部１０が各部を制御し、外部装置から入力された映像信号が表す映像をスクリーンＳＣに投写する機能や、投写する映像に付加情報を埋め込む機能など、各種機能が実現する。
【００２７】
（端末装置２の構成）
図３は、端末装置２のハードウェア構成の一例を示した図である。制御部２１は、ＣＰＵやＲＡＭ、不揮発性メモリを備えており、ＣＰＵが不揮発性メモリに記憶されているプログラムを実行すると、スマートフォンのオペレーティングシステムが実現する。
【００２８】
タッチパネル２３は、表示装置（例えば液晶ディスプレイ）と位置入力装置とが一体化した装置である。タッチパネル２３は、端末装置２を操作するための各種画面や、後述する撮像部２８で得られた映像などを表示する。また、タッチパネル２３は、表示装置上においてユーザーが指又はスタイラスペンで触れた位置を示す情報を制御部２１へ出力する。制御部２１は、表示装置で表示されている画面と、タッチパネル２３から出力された情報に基づいてユーザーの操作を特定し、特定した操作に応じた処理を実行する。操作部２４は、端末装置２を操作するためのボタンを備えている。通信部２５は、移動体通信網を介して無線通信を行う通信インターフェースとして機能する。撮像部２８は、撮像素子や撮像素子上に被写体の像を結像するレンズを備えており、撮像素子に結像した像を示す画像データを生成する。
【００２９】
音声処理部２７は、マイクロホンとスピーカを有している。音声処理部２７は、端末装置２同士が音声通話を行う場合、通話相手の音声に係るデジタル信号が通信部２５から供給されると、供給されたデジタル信号をアナログ信号に変換する。このアナログ信号は、スピーカへ供給され、スピーカからは、通話相手の音声が放音される。また、音声処理部２７は、マイクロホンが音声を収音すると、収音した音声をデジタル信号に変換する。音声処理部２７は、端末装置２で音声通話を行う場合、ユーザーの音声を変換したデジタル信号を通信部２５へ供給する。このデジタル信号は、通信部２５から移動体通信網へ送信され、通話相手の端末装置２へ送信される。
【００３０】
記憶部２２は、不揮発性メモリであり、各種アプリケーションプログラム（以下、アプリと称する）やアプリが使用するデータを記憶する。本実施形態においては、記憶部２２は、撮像部２８で得られた映像から映像中に埋め込まれている付加情報を取得し、取得した付加情報に対応した映像を表示する機能を実現する情報表示アプリを記憶している。
【００３１】
（端末装置２の機能構成）
図４は、情報表示アプリを実行することにより実現する機能の構成を示した機能ブロック図である。
情報取得部２０１は、撮像部２８が撮像した映像から映像に埋め込まれている付加情報を取得する。
付加情報取得部２０２は、情報取得部２０１が取得した付加情報を用いてコンテンツを取得する。付加情報取得部２０２は、付加情報の内容がＵＲＬである場合、通信部２５を制御してＵＲＬで特定されるコンテンツ（例えば、Ｗｅｂページ）を取得する。また、付加情報取得部２０２は、付加情報の内容が文字列や図、写真などのコンテンツを示す場合、付加情報をコンテンツとして取得する。
表示部２０３は、付加情報取得部２０２が取得したコンテンツと、撮像部２８が撮像した映像が表示されるようにタッチパネル２３を制御する。
【００３２】
（実施形態の動作例）
次に本実施形態の動作例について、図５のフローチャートを用いて説明する。プロジェクター１のユーザーは、外部装置（本実施形態においては、パーソナルコンピューター）とプロジェクター１とを無線通信により接続し、外部装置からプロジェクター１へ映像信号及び付加情報を無線通信により送信する。制御部１０は、外部装置から送信された映像信号を通信部１８が受信すると、受信した映像信号及び付加情報を取得する。つまり、
制御部１０は、第１コンテンツを示す映像信号を取得する第１取得部及び付加情報を取得する第２取得部として機能する。制御部１０は、受信した映像信号を映像処理部１３へ供給する。また、制御部１０は、外部装置から送信された付加情報を通信部１８が受信すると、受信した付加情報を映像処理部１３へ供給する。
【００３３】
映像処理部１３は、供給された付加情報をステガノグラフィーの技術により映像信号に埋め込み、付加情報が埋め込まれた映像信号を駆動回路１４４へ供給する。供給される映像信号に応じて駆動回路１４４がライトバルブ１４２を駆動すると、付加情報が埋め込まれた映像がスクリーンＳＣに投写される。
【００３４】
次に端末装置２のユーザーが、情報表示アプリを端末装置２において起動させると、撮像部２８は、撮像素子に結像した像を示す画像データを生成し、タッチパネル２３は、生成された画像データが示す映像を表示する。端末装置２のユーザーが、図６に例示したように端末装置２をスクリーンＳＣに向けると、タッチパネル２３にはスクリーンＳＣ及びスクリーンＳＣに投写されている映像が表示される。
【００３５】
制御部２１は、撮像部２８が生成した画像データを解析し、画像データが示す映像においてスクリーンＳＣの領域を特定する。例えば、図６に示したように、端末装置２でスクリーンＳＣを撮像した場合、制御部２１は、表示しているスクリーンＳＣの部分をスクリーンＳＣの領域として特定する。
【００３６】
制御部２１は、スクリーンＳＣの領域を特定すると、特定した領域内の映像を解析し（ステップＳＡ１）、映像に付加情報が埋め込まれているか判断する。制御部２１は、特定した領域内の映像に付加情報が埋め込まれていない場合（ステップＳＡ２でＮＯ）、「情報なし」とのメッセージがタッチパネル２３で表示されるようにタッチパネル２３を制御する（ステップＳＡ３）。
【００３７】
一方、制御部２１は、特定した領域内の映像に付加情報が埋め込まれている場合（ステップＳＡ２でＹＥＳ）、埋め込まれている付加情報を復号して画像データから付加情報を取得する（ステップＳＡ４）。制御部２１は、付加情報を取得すると、付加情報の内容を判断する。制御部２１は、付加情報の内容がＵＲＬである場合（ステップＳＡ５でＹＥＳ）、通信部２５を制御してＵＲＬで特定されるコンテンツ（例えば、Ｗｅｂページ）を取得する（ステップＳＡ６）。制御部２１は、ＵＲＬで特定されるコンテンツを取得すると、取得したコンテンツを記憶部２２に記憶させる（ステップＳＡ７）。また、制御部２１は、付加情報の内容が文字列や図、写真などのコンテンツである場合（ステップＳＡ５でＮＯ）、コンテンツである付加情報を記憶部２２に記憶させる。コンテンツを記憶部２２に記憶させた制御部２１は、タッチパネル２３を制御し、表示しているスクリーンＳＣの隣に、記憶したコンテンツの映像をＡＲ（Augmented Reality：拡張現実）の技術により表示する（ステップＳＡ９）。
【００３８】
例えば、外部装置が文書の映像信号をプロジェクター１へ供給し、当該文書の作成者のプロフィールが記述されたＷｅｂページのＵＲＬを付加情報としてプロジェクター１へ供給した場合、投写される映像には当該ＷｅｂページのＵＲＬが付加情報として埋め込まれる。端末装置２は、撮像部２８で撮像して得られた映像から当該ＷｅｂページのＵＲＬを取得し、取得したＷｅｂページの映像Ｐ１を、図７の（ａ）に示したように、タッチパネル２３においてスクリーンＳＣの領域の隣（例えば、右側）に配置して表示する。
また、例えば、外部装置がグラフの映像信号をプロジェクター１へ供給し、当該グラフの生データを付加情報としてテキストデータでプロジェクター１へ供給した場合、端末装置２は、取得したテキストデータの文字、即ち、グラフの生データの映像を、タッチパネル２３においてスクリーンＳＣの領域の横に配置して表示する。
【００３９】
タッチパネル２３において、スクリーンＳＣの映像の隣に付加情報から得られたコンテンツの映像が配置されている状態で端末装置２を動かすと、タッチパネル２３においては、スクリーンＳＣが表示される位置が移動する。制御部２１は、タッチパネル２３において、移動して表示されたスクリーンＳＣの隣にコンテンツの映像が表示されるように、タッチパネル２３を制御する。
例えば、図７の（ａ）に示したようにコンテンツを表示した後、端末装置２のユーザーが、端末装置２を右に移動させると、図７の（ｂ）に示したように、付加情報から得られたＷｅｂページの映像Ｐ１の表示位置が左にずれてＷｅｂページの全体が表示され、端末装置２のユーザーは、スクリーンＳＣに投写されている文書の作成者のプロフィールを知ることができる。
【００４０】
本実施形態によれば、映像に付加情報を不可視の状態で埋め込んで投写し、不可視で埋め込まれた付加情報からコンテンツを表示するため、スクリーンＳＣに投写する文書や画像の領域を狭くすることなく、投写した文書や画像以外のコンテンツを端末装置２のユーザーに提供することができる。また、付加情報をコンテンツとした場合には、ネットワーク上のコンピューター装置にアクセスしなくとも、コンテンツを表示することができるため、通信ができない環境であっても、投写した文書や画像以外のコンテンツを端末装置２のユーザーに提供することができる。
【００４１】
なお、上述の説明においては、端末装置２において付加情報から得たコンテンツを表示する位置は、スクリーンＳＣの領域の右側となっているが、左側にコンテンツを表示してもよく、また、スクリーンＳＣの領域の上側又は下側であってもよい。
また、上述の説明においては、付加情報から特定されるコンテンツが一つであるが、複数の付加情報を投写する映像に埋め込み、端末装置２において、複数の付加情報から複数のコンテンツを取得してもよい。
例えば、２つのＵＲＬを付加情報として投写する映像に埋め込んだ場合、端末装置２は、一方のＵＲＬで特定されるコンテンツと、他方のＵＲＬで特定されるコンテンツを取得する。端末装置２は、図７の（ｃ）に例示したように、一方のコンテンツＣ１の映像をタッチパネル２３においてスクリーンＳＣの領域の右隣に表示し、他方のコンテンツＣ２の映像をタッチパネル２３においてスクリーンＳＣの領域の左隣に表示してもよい。この構成の場合、図７の（ｃ）に示した状態から端末装置２を右に移動させると、コンテンツＣ１の全体を表示し、図７の（ｃ）に示した状態から端末装置２を左に移動させると、コンテンツＣ２の全体を表示する。また、一方のコンテンツＣ１の映像をタッチパネル２３においてスクリーンＳＣの領域の上側に表示し、他方のコンテンツＣ２の映像をタッチパネル２３においてスクリーンＳＣの領域の下側に表示してもよい。この構成の場合、端末装置２を上に移動させると、コンテンツＣ１の全体を表示し、端末装置２を下に移動させると、コンテンツＣ２の全体を表示する。
【００４２】
また、３つ以上の付加情報を映像に埋め込んだ場合、図８に例示したように、付加情報に対応したコンテンツの名称をタッチパネル２３においてメニューＭ１で表示し、ユーザーが表示された名称のいずれかを選択すると、選択された名称のコンテンツを表示するようにしてもよい。
【００４３】
また、端末装置２は、付加情報が映像に埋め込まれている場合、図９に例示したようにボタンＢ１の映像をタッチパネル２３においてスクリーンＳＣの領域の隣に表示し、ボタンＢ１の部分をタップする操作が行われると、取得したコンテンツを表示してもよい。また、この構成においては、取得したコンテンツが複数ある場合、ボタンＢ１をタップする操作が行われる毎に、表示するコンテンツを切り替えるようにしてもよい。
また、端末装置２は、付加情報が映像に埋め込まれている場合、付加情報があることを示すアイコンをタッチパネル２３においてスクリーンＳＣの領域の隣に表示してもよい。この構成の場合、端末装置２のユーザーがタッチパネル２３においてスワイプの操作を行うと、取得したコンテンツを表示するようにしてもよい。また、この構成においては、取得したコンテンツが複数ある場合、スワイプの操作が行われる毎に、表示するコンテンツを切り替えるようにしてもよい。
【００４４】
上述した実施形態においては、タッチパネル２３においてスクリーンＳＣの領域の隣に、スクリーンＳＣに投写されているコンテンツとは別のコンテンツを表示しているが、この構成に限定されるものではない。
例えば、地図を示す映像信号をプロジェクター１へ供給し、プロジェクター１において、地図の映像の一部を拡大して表示する場合、プロジェクター１は、表示する地図の映像に、地図の映像のＵＲＬと、拡大して表示している領域の座標、範囲、向きの少なくとも一つを付加情報として埋め込む。端末装置２は、付加情報から地図のコンテンツと、スクリーンＳＣにおいて拡大されて表示されている領域の座標を取得する。端末装置２は、地図のコンテンツから、取得した領域を除去した映像を生成し、生成した映像を、図１０に例示したように、タッチパネル２３においてスクリーンＳＣが表示されている領域の周囲に表示する。
この構成によれば、スクリーンＳＣに投写されている映像の全体を、端末装置２で見ることができる。
【００４５】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００４６】
上述した実施形態においては、付加情報が埋め込まれた映像を表示する装置は、液晶プロジェクターとなっているが、デジタルミラーデバイスを用いたプロジェクターでもよい。また、付加情報が埋め込まれた映像を表示する装置は、プロジェクターに限定されず、映像を表示する装置であればよく、液晶ディスプレイ装置や有機ＥＬディスプレイ、電気泳動型の表示装置など他の表示装置であってもよい。
【００４７】
上述した実施形態においては、プロジェクター１において付加情報が埋め込まれた映像を生成して表示しているが、付加情報が埋め込まれた映像を生成する構成は、この構成に限定されるものではない。例えば、パーソナルコンピューターにおいて、付加情報を埋め込んだ映像を生成し、生成した映像の映像信号をプロジェクター１へ供給することにより、付加情報が埋め込まれた映像を表示するようにしてもよい。この構成は、例えば、コンテンツの作成や編集を行う機能、付加情報の作成や編集を行う機能、コンテンツの映像に付加情報を不可視の状態で埋め込む機能、付加情報が埋め込まれた映像を示す映像信号を出力する機能を有するアプリケーションプログラムをパーソナルコンピューターで実行させることにより実現する。
【００４８】
また、本発明においては、記録媒体に記録された映像を再生する第１の外部装置からプロジェクター１へ映像信号を供給し、第２の外部装置であるパーソナルコンピューターから付加情報をプロジェクター１へ供給し、プロジェクター１は、第１の外部装置から供給された映像信号に第２の外部装置から供給された付加情報を埋め込んで映像を投写してもよい。また、この構成においては、パーソナルコンピューターから供給される付加情報は、ＵＲＬなどのテキストの情報であってもよく、また、画像などのコンテンツそのものであってもよい。
【００４９】
本発明においては、投写する映像に埋め込んだ付加情報を赤外光でスクリーンＳＣに投写し、端末装置２において可視光の映像と共に赤外光の映像を撮像し、赤外光の映像から付加情報を取得してもよい。
【００５０】
上述した実施形態においては、プロジェクター１へ供給する付加情報の内容を周期的に変更し、埋め込む付加情報を周期的に変更してもよい。また、この構成においては、端末装置２は、周期的に変更される付加情報を撮像した映像から取得し、取得した付加情報に対応するコンテンツを取得し、コンテンツを取得する毎にタッチパネル２３で表示するコンテンツを切り替えるようにしてもよい。
【００５１】
本発明においては、動画像に付加情報を埋め込み、付加情報が埋め込まれた動画像をスクリーンＳＣに投写してもよい。また、動画像に付加情報を埋め込む場合、映像の全フレームに付加情報を埋め込むのではなく、予め定められた周期で映像に付加情報を埋め込むようにしてもよい。
【００５２】
本発明に係る装置において実行されるプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリーなどのコンピューター読取り可能な記録媒体に記憶した状態で提供し、各装置にインストールしてもよい。また、通信網を介してプログラムをダウンロードして各装置にインストールしてもよい。
【符号の説明】
【００５３】
１…プロジェクター、２…端末装置、１０…制御部、１１…操作部、１２…記憶部、１３…映像処理部、１４…表示部、１５…ＯＳＤ部、１８…通信部、２１…制御部、２２…記憶部、２３…タッチパネル、２４…操作部、２５…通信部、２７…音声処理部、２８…撮像部、１４１…光源、１４２…ライトバルブ、１４３…投写レンズ、１４４…駆動回路、
２０１…情報取得部、２０２…付加情報取得部、２０３…表示部
【図１】
2016071035.tif 000003
【図２】
2016071035.tif 000004
【図３】
2016071035.tif 000005
【図４】
2016071035.tif 000006
【図５】
2016071035.tif 000007
【図６】
2016071035.tif 000008
【図７】
2016071035.tif 000009
【図８】
2016071035.tif 000010
【図９】
2016071035.tif 000011
【図１０】
2016071035.tif 000012